(57)【要約】【課題】多方向からの音を拾うことが可能な聴覚補助装置を提供する。【解決手段】筐体２の一の角部１０には、この角部１０を構成する蓋面３，底面４および側面５，６の４面に、マイク５０に開口するマイク孔１１，１２，１３，１４が形成される。筐体２の角部のうち、一の角部１０に近い他の角部１５には、蓋面３と底面４の頂点位置が面取りされて三角形状のフランジ部１６が形成される。このフランジ部１６には、ストラップ１１０が取り付けられるストラップ取付部１７が形成される。【選択図】図１
2011055406.tif 000002
【特許請求の範囲】
【請求項１】
外部からの音を音声信号に変換するマイクと、
前記マイクから出力する音声信号に対し、信号処理を行う信号処理手段と、
前記信号処理手段の出力信号を外部に出力する出力部と、
前記マイク、前記信号処理手段および前記出力部を収容し、前記マイクを収容するマイク収容部分が、外部から複数の面で囲まれると共に内部に対して隔壁で分離されている筐体と、を有し、
前記マイク収容部分の前記複数の面の少なくとも２以上の面には、前記マイクの集音経路となる貫通孔が設けられている
ことを特徴とする聴覚補助装置。
【請求項２】
請求項１記載の聴覚補助装置において、
前記筐体は、ひも状のストラップが取り付けられるストラップ取付部を有し、
前記ストラップ取付部の取り付け位置は、前記ストラップによって前記筐体が吊り上げられたときに、装置全体の自重により、前記マイク収容部分が前記ストラップ取付部を中心に回転して下方に位置するように設定されている
ことを特徴とする聴覚補助装置。
【請求項３】
請求項１または２記載の聴覚補助装置において、
前記筐体を矩形状に形成し、前記マイク収容部分を前記筐体の一の角部に形成する
ことを特徴とする聴覚補助装置。
【請求項４】
請求項３記載の聴覚補助装置において、
前記貫通孔は、前記一の角部を形成する４面に形成される
ことを特徴とする聴覚補助装置。
【発明の詳細な説明】
【技術分野】
【０００１】
本発明は、耳の不自由な人等に対して聴覚の補助を行う聴覚補助装置に関する。
【背景技術】
【０００２】
日常生活の中にある音を的確に識別できないと、日常生活に支障を来す場合もあり、場合によっては危険に晒される虞もある。
そこで、聴覚機能の低下した者に装着させて、低下した聴覚機能を補助する聴覚補助装置として補聴器が知られている（特許文献１等）。例えば、高音域の聴取機能の低下等の伝音系機能の低下した者向けの補聴器としては、音声マイクで集音した外来音（音声信号）の周波数帯域の一部または全部を増幅するものがある。
【０００３】
補聴器の形状は、ポケット型、耳掛け型、耳あな型等がある。ポケット型は、アンプ等が収納される箱形のケースと、このケースから延びるヘッドフォンと、を具備する。マイクは、ケース或いはヘッドフォンに取り付けられる。耳掛け型・耳あな型は、直接耳に装着され、その筐体内には、マイク、スピーカ、アンプ等の電子回路が実装された基板等が格納される。
【０００４】
今までは、耳掛け型・耳あな型補聴器が多く使用されてきていたが、昨今の小型音楽プレーヤーの普及により、小型の音楽プレーヤー感覚で使用可能なボックス型の補聴器も普及してきている（非特許文献１）。
【先行技術文献】
【特許文献】
【０００５】
【特許文献１】特開平１０−２８２９８５号公報
【非特許文献１】意匠登録第１２５８７４４号公報
【発明の概要】
【発明が解決しようとする課題】
【０００６】
本発明は、多方向からの集音が可能な聴覚補助装置を提供することを目的とする。
【課題を解決するための手段】
【０００７】
上述の目的を達成するため、請求項１に記載の聴覚補助装置の構成は、外部からの音を音声信号に変換するマイクと、前記マイクから出力する音声信号に対し、信号処理を行う信号処理手段と、前記信号処理手段の出力信号を外部に出力する出力部と、前記マイク、前記信号処理手段および前記出力部を収容し、前記マイクを収容するマイク収容部分が、外部から複数の面で囲まれると共に内部に対して隔壁で分離されている筐体と、を有し、前記マイク収容部分の前記複数の面の少なくとも２以上の面には、前記マイクの集音経路となる貫通孔が設けられていることを特徴とする。
【０００８】
請求項２に記載の聴覚補助装置は、上記記載の聴覚補助装置において、前記筐体は、ひも状のストラップが取り付けられるストラップ取付部を有し、前記ストラップ取付部の取り付け位置は、前記ストラップによって前記筐体が吊り上げられたときに、装置全体の自重により、前記マイク収容部分が前記ストラップ取付部を中心に回転して下方に位置するように設定されていることが好ましい。
【０００９】
請求項３に記載の聴覚補助装置は、上記記載の聴覚補助装置において、前記筐体を矩形状に形成し、前記マイク収容部分を前記筐体の一の角部に形成することが好ましい。
【００１０】
請求項４に記載の聴覚補助装置は、上記記載の聴覚補助装置において、前記貫通孔は、前記一の角部を形成する４面に形成されることが好ましい。
【発明の効果】
【００１１】
請求項１に記載の聴覚補助装置によれば、貫通孔を１面にしか形成していないものに比べて、広い範囲からの音をマイクにて集音することができる。
【００１２】
請求項２に記載の聴覚補助装置によれば、貫通孔がストラップ取付部よりも下方に位置するため、使用者の発する音声をマイクで拾い難くする。
【００１３】
請求項３に記載の聴覚補助装置によれば、一の角部にマイクを配置することができる。
【００１４】
請求項４に記載の聴覚補助装置によれば、貫通孔を１面にしか形成していないものに比べて、広い範囲の音をマイクにて集音することができる。
【図面の簡単な説明】
【００１５】
【図１】本発明の実施形態に係る聴覚補助装置を示す斜視図である。
【図２】本実施形態による聴覚補助装置の組立斜視図である。
【図３】本実施形態による聴覚補助装置の使用状態を示す図である。
【図４】変形例によるマイク孔を示す斜視図である。
【図５】変形例によるハート型の筺体を示す図である。
【発明を実施するための形態】
【００１６】
＜聴覚補助装置の構成＞
図１（ａ）は、正面から見た本実施形態に係る聴覚補助装置１の斜視図であり、図１（ｂ）は裏面から見た聴覚補助装置１の斜視図であり、図２は、聴覚補助装置１の分解斜視図である。
この聴覚補助装置１は、図１および図２に示すように、筐体２と、この筐体２内に収納された基板４０、マイク５０、電池５１と、を具備する。筐体２は、樹脂材料によって浅底の矩形状体として形成され、対向する蓋面３，底面４、対向する短尺な側面５，７、対向する長尺な側面６，８を有する。蓋面３には、基板４０を位置決めするためのリブ３Ａが形成され、底面４には、電池カバー９が着脱可能に設けられる、矩形状の開口部４Ａが形成される。
【００１７】
筐体２の一の角部１０（図１（ａ）中の右上部分）には、この角部１０を構成する蓋面３，底面４および側面５，６の４面に、マイク５０に開口するマイク孔１１，１２，１３，１４が形成される。マイク孔１１，１２，１３，１４は２個ずつ形成された長孔となる。
また、筐体２の角部のうち、一の角部１０に近い他の角部１５（図１（ａ）中の左上部分）には、蓋面３と底面４の頂点位置が面取りされて三角形状のフランジ部１６が形成される。このフランジ部１６には、ストラップ１１０（図３、参照）が取り付けられるストラップ取付部１７が形成される。
側面５，６には、コネクタ挿入孔２１，２２とダイヤル挿入口２３，２４とが形成される。
【００１８】
さらに、筐体２は、図２に示すように、表ケース３１と裏ケース３２とを貼り合わせることによって成形される。表ケース３１のうち短尺な側面５の一の角部１０に対応した部分の内側には、断面が略「Ｌ」字状となった隔壁部３３が形成される。この隔壁部３３は、表ケース３１と裏ケース３２とを併せてた状態で、一の角部１０となる蓋面３，底面４および側面５，６の４面と共にマイク収容部分３４を形成する。このマイク収容部分３４には、マイク孔１１〜１４が開口する。
【００１９】
表ケース３１には、少なくとも増幅回路やイコライザー等の信号処理手段を構成する電子部品４１が実装された基板４０が収容される。基板４０には、この基板４０から突出するように、雌コネクタ４２，４３およびダイヤル４４，４５が実装される。筐体２に基板４０を収容した状態にあっては、雌コネクタ４２がコネクタ挿入孔２１に、雌コネクタ４３がコネクタ挿入孔２２に、ダイヤル４４がダイヤル挿入口２３に、ダイヤル４５がダイヤル挿入口２４に、それぞれ挿入されて、基板４０が筐体２に対して位置決めされる。また、基板４０の下側には電池５１が取り付けられるための端子が設けられる。
【００２０】
雌コネクタ４２には、リード線１０１を介してヘッドフォン１００（図３、参照）につながる雄コネクタ（（図示せず）が接続され、雌コネクタ４３には、リード線および外部機器につながる雄コネクタ（いずれも図示せず）が接続される。ダイヤル４４は、前記増幅回路の増幅率を設定する可変抵抗器の軸に接続されるものであり、ダイヤル４５は、前記イコライザーによる設定音域を決める可変抵抗の軸に接続されるものである。よって、ダイヤル４４を回転させることにより、ヘッドフォンから聞こえる音の音量を調整し、ダイヤル４５を回転させることにより、ヘッドフォンから聞こえる音の音質を調整する。
【００２１】
マイク収容部分３４となる隔壁部３３には、円柱状のマイク５０が収容され、このマイク５０からは図示しないリード線が基板４０に接続されている。マイク５０の種類としては、コンデンサマイクやカーボンマイク等が用いられる。
【００２２】
このように構成される各部位を組み立てることにより、聴覚補助装置１が製造される。
まず、基板４０にリード線で接続されたマイク５０を隔壁部３３（マイク収容部分３４）の空間に挿入すると共に、表ケース３１の開口部から基板４０を挿入し、リブ３Ａに押し付ける。この状態で、基板４０側の雌コネクタ４２，４３はコネクタ挿入孔２１に挿入されており、基板４０を表ケース３１に固定するために、リブ３Ａに対して基板４０をネジ止めする。
表ケース３１に基板４０を取り付けた状態で、開口部同士が合わさるように、裏ケース３２を表ケース３１に押し当てる。この際、基板側のダイヤル４４，４５はダイヤル挿入口２３，２４に挿入される。表ケース３１と裏ケース３２とは、開口部同士の噛み合わせによって接合されると共に、接着剤によって固着される。
【００２３】
（聴覚補助装置１の使用例）
図３は、使用者Ｍが聴覚補助装置１を装着した状態を示す図である。
ストラップ１１０をストラップ取付部１７に装着し、ヘッドフォン１００の雄コネクタを雌コネクタ４２に接続し、ストラップ１１０を使用者Ｍの首に掛けて、ヘッドフォン１００のイヤー部を使用者Ｍの耳に装着する。
【００２４】
聴覚補助装置１は、外部の音をマイク５０で拾ってヘッドフォン１００のイヤー部から増幅させた音として出力する。また、マイク５０は、筐体２の一の角部１０の位置に形成されたマイク収容部分３４内に配置され、このマイク収容部分３４には４面に形成したマイク孔１１，１２，１３，１４を介して外部と連通している。また、周囲からの集音が可能となるため、聴覚補助装置１がどちらの方向を向いていても、殆ど受信レベルが変わることはない。さらに、マイク収容部分３４が、筐体２が洋服と接触する際に発生するノイズ等がマイク５０に伝達されるのを低減し、基板４０に実装された電子回路によってノイズの少ない信号処理が実現される。これにより、使用者Ｍに対して聞き取りやすい音を提供する。
【００２５】
聴覚補助装置１は、図３のようにして使用する場合、マイク孔１１等がストラップ取付部１７よりも下側となって、傾いた状態となるため、使用者Ｍの口元からマイク５０を遠ざけて、使用者Ｍの発する声を拾い難くして、外部からの音を主にマイク５０で拾うことができる。聴覚補助装置１は、マイク孔１１，１２，１３，１４は、全角度からの集音を可能にし、こもりのない音の出力を可能とする。また、マイク５０は、角部１０に位置した容積の小さなマイク収容部分３４内に配置されるため、共鳴等による反響を防止して自然に近い音で集音することができる。
また、聴覚補助装置１は、携帯プレーヤー或いは携帯ラジオを使用している感覚で、聴覚補助が行われる。
【００２６】
＜変形例＞
上記実施形態を次のように変形してもよい。
前記実施形態では、筐体２に形成したマイク孔１１，１２，１３，１４は、マイク孔１１，１２は複数個の丸孔、マイク孔１３，１４は複数の長孔としたが、本発明はこれに限らず、図４（ａ）に示すように、３面に亘って形成された略「コ」字状のマイク孔２０１・・・を２面に亘って形成したもの、図４（ｂ）に示すように、略「コ」字状のマイク孔２０２・・・と円形のマイク孔２０３・・・とを組み合わせたもの、図４（ｃ）に示すように、円形のマイク孔２０４・・・とを組み合わせたもの、図４（ｄ）に示すように、側面５に形成された長孔のマイク孔１３，１３と、この側面５から他の３面に亘って形成されたマイク孔２０５・・・とを組み合わせたものであってもよい。さらに、他の形状であってもよい。
また、前記実施形態では、筐体２を矩形状とした場合を例に挙げて説明したが、本発明はこれに限らず、筐体の形状は、他の形状であってもよい。
例えば、図５に示すように、ハート型の筐体２Ａとした場合には、マイク孔２０６を一方の分岐部の先端側に、ストラップ取付部１７Ａを他方の分岐部の先端側に設けるようにすれば、ストラップで首から下げた際には、図５（ｂ）のように、マイク孔２０６がストラップ取付部１７Ａより下方に位置するようになる。
【符号の説明】
【００２７】
１…聴覚補助装置、２，２Ａ…筐体、３…蓋面、４…底面、１０…一の角部、１１，１２，１３，１４，２０１，２０２，２０３，２０４，２０５，２０６…マイク孔、１５…他の角部、１７，１７Ａ…ストラップ取付部、３１…表ケース、３２…裏ケース、３３…隔壁部、３４…マイク収容部分、４０…基板、５０…マイク。
【図１】
2011055406.tif 000003
【図２】
2011055406.tif 000004
【図３】
2011055406.tif 000005
【図４】
2011055406.tif 000006
【図５】
2011055406.tif 000007